(57)【要約】      （修正有）【課題】蓄積、集積された多くの情報が統計処理され、健康維持生活を連続性のある持続的、継続的安心生活を可能にする。【解決手段】連続性のある持続的健康維持生活及び緊急を含めた健康維持生活を損ねた時に、煩雑、複雑な多大な情報の中から簡単、確実に必要な情報を提供するトータル的でターミナル的なサポートセンターを健康相談師を配備して設け、一定基準の範囲は健康相談師が対応し、基準以上になる場合に顧客者はそれぞれの該当する専門家や事業者とサポートセンターを介して直接接続連結する方法で情報送受信し、さらに情報を信託方法によって代々継承可能な連続性のある持続的、継続的をもたせ、さらに、蓄積、集積された多くの情報を統計資料情報として側面支援資料に利用し、連続性のある持続的健康維持生活活動の安心生活を可能にする。【選択図】図１
2005025705.tif 000002
【特許請求の範囲】
【請求項１】
持続的健康維持生活のための情報サポートシステム
【請求項２】
持続的健康維持生活を損ねた時の緊急を含めた情報サポートシステム
【請求項３】
その他健康維持生活及び緊急を含めた健康維持生活を損ねた時の情報サポートシステム
【請求項４】
情報サポートする若しくはした際の送受信内容を記録保存し記録保存したものを情報として信託する。
【発明の詳細な説明】
【技術分野】
【０００１】本発明は、持続的健康維持生活及び緊急を含めた健康維持生活を損ねた時のための情報サポートシステムに関する。
【背景技術】
【０００２】従来の情報処理技術分野においても様々な発明が提案され、携帯電話機等の移動送受信機で視聴するのに適した情報の送受信を行うことが可能な双方向情報伝達システムを提案（例えば、特許文献１参考）したもの、携帯電話による市場調査方法と市場調査システム使用する提案（例えば、特許文献２参考）したもの、携帯電話による受注・販売促進方法利用する提案（例えば、特許文献３参考）したもの、一度配信された電子メールに基づいて、送信者と受信者との間で更なる情報伝達を行うことを提案（例えば、特許文献４参考）したものがある【０００３】しかし、これらは情報伝達が単一的で、伝達の軽減の為の方策として提案されており、双方向情報伝達をトータル的に可能にする提案や総合的情報伝達に関しては提案されていない。【０００４】従来の持続的健康維持生活のための情報サポートシステムは、それぞれの企業や事業者別に個々直接接続できる様になっているため深い情報が得られる。【０００５】また、インターネットプロバイダーによる情報配信は幅広いコンテンツに利点が多い。【０００２】売薬を配置薬として各家庭で常備保管管理されていることは、簡易な体調異変に対処する手軽な手段であり事業として利用されている。【０００６】
【特許文献１】特開特許公開２００３−１０１４９６号公報
【特許文献２】特開２００２−４９７３６号公報
【特許文献３】特開２００２−４９７３５号公報
【特許文献４】特開２００１−２７３２３７号公報
【発明の開示】
【発明が解決しようとする課題】
【０００７】しかしながら、持続的健康維持及び緊急を含めた健康維持生活を損ねた時の生活情報サポートシステムは、それぞれの企業や事業者へ直接アクセスしなければならない事や関連企業や事業情報等、それぞれの企業や事業者や同一異種性等々を調べなければならない事が煩雑、複雑になる欠点があり、さらにそれぞれの企業や事業者間連係を一体化されておらず一体化するには設備等や人材等のハードやシステムプログラム等、さらに人材等々のソフト面や相互の協調性、さらに専業縦割りなどの点でかなり難点がある。【０００８】インターネットプロバイダーによる情報配信は、企業協力による幅の広さはあるが一方通行の配信であり個人的な個々の情報を双方向で配信するには企業と個人の直接アクセス方法という形式になり、基本的問題は解決されていない。【０００９】さらに、個人の情報は、個人の保管管理により記録集積保管して利用できるが設備の必要性や保管整理の煩雑等々困難な事が多く、また、継承しての持続性となると抱える問題が設備のみならず保管場所、管理運営等々難点が非常に多くなる。【００１０】また、代々継承する連続性のある持続的維持は方法、手段、設備、管理、運営等々あらゆる面において専門的知識を必要とする場面が多い。【００１１】時間的、心身的拘束がある場合は病院へ出向いたり、在宅診療を手配する事務手配等を持つ事が難しい場合が意外と多くあり健康維持が出来にくい。【００１２】売薬による配置常備薬は配置企業が訪問し確認しなければ薬の補充が出来ない。【００１３】さらに、医師との連携がない事や設備や適当なる有識者人材等の問題、また、国内配置薬常備薬の始まりが自社製品の販売を基本としての他者商品補充品揃えであることから医薬は配置常備されてない。
【課題を解決するための手段】
【００１４】本発明は、医業に携わる医師や看護士並びに薬剤師等一定の資格及び一定期間の職務経験を有した健康相談師を在籍させ、顧客と対話型でサポートし、それぞれの企業や事業者間連係を一体化する健康維持生活及び緊急時を含む健康維持生活を損ねた時に関係するあらゆる情報を一定の基準を設定して情報サポートし、基準以上はそれぞれ専門の企業や事業者と直接アクセスできるターミナル的なサポートシステムを提供することで上記課題を解決する。【００１５】さらに、健康相談師による規定基準の情報以上の情報を配信するためにターミナル的なサポートシステムの方法手段の中に大学病院や薬物製造販売事業者や医師、薬剤師、看護士、介護士等々、企業内等々の専門家をサポーターや連携者として導入し情報配信する事で上記課題を解決する。【００１６】また、代々継承可能にする連続性のある持続性の為に情報の信託という方法を行う事で可能にする。この情報の主な内容は、人体情報及び法事法要等の歳事記として血族連続性の健康維持情報としての利用及び被権者の後継者の生活活動補助の役割を担う活動で健康維持生活を支援する。【００１７】生存中の人体情報は、個々の被権者の意志により、許容範囲により情報を交換入手可能とし、より密度の高い情報として利用を可能にする。【００１８】さらに、遺言信託方法を用いて、血族的に継承する人体情報や細胞連続性により継承する人体情報を受け継ぐものの連続性の持続的健康維持生活の安心材料として活用し、心身的効果として行事や歳事記の開催実施で連続性の持続的維持を効果的に可能にする。【００１９】サポートセンターが医師と顧客の間に介在し、医師の処方の下に一定の制限をもって保安管理会社を介在させて常備薬的な置配薬を代行サービスする。これら置配薬は医薬は主治医もしくはその代行医師により処方されたものを被権者の代わりに保安保管管理を入れ物に制御装置を組み込み、薬の利用がタイムリーに医師及びサポートセンターへ送信され利用効果の徹底や保管補充の情報資料として利用し健康維持生活を支援する。【００２０】また、置配薬を保安保管管理する入れ物にセキュリティ及び通信機能を装備し薬を利用する毎に通信装置によって医師やサポートセンターへ送信され売薬の補充手配や薬の利用効果情報源として利用する。【００２１】さらに、病院へ出向けない時にはサポートセンター診療機関等のリストを常設し、被権者へ適切なアドバイス叉は往診要請の代行や緊急時の対応病院の伝達等、被権者の事務的時間を軽減することで日々の生活活動をできる限り持続させる補助的役割を行う事で健康維持活動を可能にする。
【発明の効果】
【００２２】本発明は、それぞれに該当する企業や事業者の情報を伝達し、ターミナルサポートセンターへアクセスするだけで、心要な情報を統べて入手でき、アクセス先も一つですむため簡単性に優れ、浅い情報から深い情報さらに幅広い情報も入手可能であり、さらに生活活動の補助的役割も行える。【００２３】双方向配信し記録集積された情報を信託という方法を行う事で、人体情報が代々継承可能な連続的な持続性が可能であり、心身的安心感が充足できる。【００２４】さらに、被権者他界後も人体情報サポートセンターへ保管され、人体情報を統計的処理により、例えば生活習慣病の情報源としたり、血族継承による病気の発生等の情報源としたり、遺伝による病気の発生等の情報源とする等様々な情報へ応用利用することで統計的健康維持情報として対象数が増す毎に確率が高くなり医業の側面支援資料となる。【００２５】特に信託方法による情報の継承は遺伝的情報の宝庫なり、さらに歴史分析可能な資料となる。
【発明を実施するための最良の形態】
【００２６】医業に携わる組織や団体等の事業者は、地域や地区生活者の健康維持生活及び緊急を含めた健康維持生活を損ねた時の補助や支援を含め解決の方法及び手段を教授する役割を担っている。また、それら医業に携わる組織や団体に医薬品や備品並びに設備等を供給する事業者は後援事業である。さらに、生活の場所を提供する建物に関わる事業者、食生活を支える事業者、生活経済を支える事業者やそれら関係する組織及び団体等々人間の総合的居住環境に関係する事業者ができる限り幅広く、多く参加し、地域や地区等の単位的設定のサポートセンターを組織し、経験豊かな看護師や医師を健康相談師として認定任命し、その地の顧客の相談受付者として顧客へサポートし、不足情報を専門研究者や事業者と連携してサポートする。これら地区のサポートセンターは中央のトータルターミナルサポートセンターと連結し、できる限り幅広くより深い専門的である多くの情報を連携サポートし、個々個人的情報となるよう健康相談師のマネージメントでサポートする。
【実施例１】
【００２７】本発明のシステムは、図１に示されるように、各業種分類を基準科目とし、さらに専門分類を設定しそれぞれに該当する企業や事業者を配置し、双方向の情報を配信する。また、図２に示すように、直接通信機器類を介して直接にそれぞれに該当する企業や事業者とターミナル的なサポートシステムを介して接続してもよい。
【実施例２】
【００２８】本発明の健康維持生活情報ターミナル的なサポートシステムは、図３に示されるように、ターミナルサポートセンターに情報交換のための通信機器が設けられている。この通信機器は情報問い合わせ及び返信の記録媒体としても機能し、これを介して歴史的に情報が問い合わせ当事者とターミナルサポートセンターを介して専門家や事業者等との間で個人ごとの情報が交換される。さらに、持続的健康維持生活及び継承の為の信託機能を補充、拡充した機能を組織内に設置し、情報信託として運営管理する事で代々継承可能な持続的健康維持生活サポートの連続的拡充を行う事ができる。
【実施例３】
【００２９】各家庭で保安保管管理される薬の入れ物を保安及び保管管理を目的とする事業者と連携し、売薬のみならず医薬を含めて保安保管管理し、利用毎に減少情報を装備した通信装置によって送信し、医師及びサポートセンターへ伝達し薬の補充を含め、処方後の情報として利用する。
【産業上の利用可能性】
【００３０】これまで事業者は情報配信することで広報効果を満たしてきたが、直接売り上げに貢献する程の物は少なかったが、本システムを利用すると健康相談師のサポート性やさらなる深い情報対応の専門的サポーター、また広範囲の情報集積により、事業者の関係及び関連情報を十分満たしており、さらに、事業者自信へのフィードバック情報が得られ、こまで得られなかった殆ど全てに於いて顧客及び協力や連携関係事業者に情報提供できるため、販売性の高さ及び世論評価の即効性等、さらに情報の広大多大で深さがあり利用可能性は高い。
【図面の簡単な説明】
【００３１】
【図１】本発明に係る情報の顧客への流れの概観図である。健康維持生活の為の基本的情報を規定準備し物品や文章さらに直接専門家との対話が文章や言葉で交換できる為の中枢センターとして被権者特性を加味して情報配信する地区のターミナルサポートセンター及び全体的特性を加味して情報配信するトータルターミナルサポートセンターを設置し問合せに対して解答する。さらに用意されていない事項については顧客からの問合せを元に関連までの情報を確保し、顧客へ解答する方法を行う。
【００３２】
【図２】本発明の顧客から必要情報に係る該当する企業や事業者とインターネット叉は電話で直接接続し情報を入手する流れの概観図である。現在一般的に利用されているインターネット叉は電話によるアクセス方法を利用した図であるが、サポートセンターにアクセスすると各地区のサポートセンターに接続され、個々の必要な情報によって指事案内される事項に基づき必要事項の情報提供者へ接続されていくだけで必要情報を入手出来、直接問答や会話することも出来、さらにアクセス内容が保存保管され将来的に記録集積蓄積され状況変化等の歴史及び過去資料とする事ができる。
【００３３】
【図３】本発明の顧客から必要情報に係る該当する企業や事業者と電話やインターネットで直接接続し情報を入手する流れのシステム概観図である。顧客は地区のサポートセンターへインターネット叉は電話で接続し文章叉は会話若しくは両方の利用によって問合せ、サポートセンターはホームページ叉は健康相談師にて受付、必要に応じて各専門研究者や専門的事業者へ連係し対応する。さらに個々個人に対応したより高度なサポートを行うために中央のトータルターミナルセンターと連係し、さらなる幅広く深い情報を提供する。また、情報を信託することで代々継承するための連続的持続性によるサポート体制の支援情報として利用する為に情報の信託センターを設置する。また、日常需要な医薬や売薬を医師との連携により置配薬センターを設置し保安管理会社と連係し日常生活活動の支援を行う。
【符号の説明】
【００３４】  １  サポーター
２  医師
３  薬剤師
４  看護士
５  介護士
６  調理師
７  栄養士
８  スポーツインストラクター
９  弁護士
１０  税理士
１１  司法書士
１２  行政書士
１３  企業内研究者
１４  企業広報
１５  専門研究家
１６  ｅｔｃ
１７  協力及び連携事業者
１８  金融
１９  製造
２０  販売
２１  マスコミ
２２  大学
２３  専門学校
２４  公益法人・２５団体・組合等々
２６  ｅｔｃ
２７  情報集積
２８  情報問合せ
２９  トータールターミナルサポートセンター
３０  情報集積
３１  信託センター
３２  健康相談師対応各地区センター
３３  地域性の独自の情報を加味
３４  顧客
３５  処方する医師
３６  置配薬センター
３７  保安管理会社
３８  顧客
３９  インターネット叉は電話で接続し、案内に従って必要な情報の設定されている番号へ接続する
４０  健康相談師対応各地区サポートセンター叉はホームページへアクセス
４１  接続
４２  トータルターミルサポートセンター
４３  専門的健康相談師対応
４４  サポーター協力者
４５  地域性の独自の情報者
４６  案内に従って必要な情報の設定されている番号へインする
４７  個々のサポーター叉は個々のサポート企業及び信託センター
４８  個々のサポーター叉は個々のサポート企業に接続同時アクセス内容保存
４９  ・アクセス開始及び終了年月日時分秒  ・情報内容（音声込み）
５０  置配薬センター
５１  顧客
５２  健康相談師対応地区サポートセンター
５３  サポーター
５４  地域的事業者
５５  専門・専任研究者
５６  トータルターミナルサポートセンター
５７  サポーター
５８  全体的事業者
５９  専門・専任研究者
６０  解答不能要調査事項登録
６１  信託センター
６２  処方する医師
６３  置配薬センター
６４  保安管理会社
【図１】
2005025705.tif 000003
【図２】
2005025705.tif 000004
【図３】
2005025705.tif 000005